(57)【特許請求の範囲】
【請求項１】
遊技球が流下する遊技領域を有する遊技盤と、この遊技盤が取り付けられた本体枠と、この本体枠の前面に一側部を軸着して開閉自在に取り付けられた前面枠と、この前面枠に設けられた開口を覆うように該前面枠の裏面に着脱可能に取り付けられた透明板とを備え、この透明板を透して前記遊技盤が目視可能となっている弾球遊技機において、
前記透明板に、その両側部から外方へ張り出して貫通孔を有する一対の仮止め片と、これら仮止め片よりも上方位置で両側部から外方へ突出する一対の固定片とが設けられていると共に、前面枠の裏面に、前記透明板の下縁部を係止可能な引っ掛け部と、この引っ掛け部よりも上方に位置して傾斜面と保持溝を有する一対の仮止め突部と、この仮止め突部の近傍に位置して前記貫通孔に嵌合可能な位置決め突起と、前記仮止め突部よりも上方に位置して前記固定片を保持可能な一対のロック部材とが設けられており、
前記透明板を前記引っ掛け部を支点に前記前面枠の裏面側へ回動することにより、前記仮止め片を前記傾斜面に沿って斜め上方へスライドさせて前記保持溝内に落とし込むと共に、前記位置決め突起に前記貫通孔を嵌合させて前記透明板を前記前面枠に対して左右方向へ位置決めした後、前記ロック部材を手動操作して前記固定片と係止させることにより、前記透明板を前記前面枠に固定するようにしたことを特徴とする弾球遊技機。
【請求項２】
請求項１の記載において、前記仮止め片の少なくとも上縁側に指掛け部が一体形成されており、この指掛け部を前記透明板の後方へ向けて突出させたことを特徴とする弾球遊技機。
【発明の詳細な説明】
【技術分野】
【０００１】
本発明は、遊技場に設置して使用されるパチンコ機等の弾球遊技機に係り、特に、遊技盤を目視可能な透明板の前面枠に対する取付構造に関するものである。
【背景技術】
【０００２】
弾球遊技機の代表例であるパチンコ機は、遊技場の島設備に設置される縦長方形状の機枠と、機枠に扉状に開閉自在に取り付けられた本体枠と、本体枠の前面に扉状に開閉自在に取り付けられた前面枠とを備えており、本体枠の内側には遊技盤が収容されている。遊技盤はガイドレール等によって区画形成された遊技領域を有しており、この遊技領域には可変表示装置や始動入賞口、一般入賞口、アタッカー装置、遊技釘、風車、アウト口等が設けられている。前面枠には遊技盤の盤面を臨む開口が形成されており、この開口は複層ガラス等からなる透明板によって覆われている。透明板は前面枠に対して着脱可能に取り付けられおり、例えば透明板に傷やヒビ等の不具合が発生した場合は、本体枠に対して開放した状態の前面枠の裏面側から新品の透明板に交換できるようになっている。
【０００３】
このように概略構成されたパチンコ機において、従来より、透明板の一側面に一対の支軸を上下方向に所定間隔を存して設け、これら支軸を前面枠の裏面に設けた一対の支持片の軸孔に回動可能に支持すると共に、透明板の他側面を前面枠の裏面に配設した一対のロック部材によって固定するようにした取付構造が提案されている（例えば、特許文献１参照）。かかる取付構造を採用したパチンコ機では、前面枠を開放して透明板を取り付ける際に、透明板の両支軸を前面枠の対応する支持片の軸孔に挿入した時点で、透明板の一側面が支軸と支持片のヒンジ部を介して前面枠に保持されるため、この状態で透明板を支軸を中心に扉状に回動して開口を塞いだ後、ロック部材を回動操作して透明板の他側面を前面枠に固定することにより、透明板を前面枠に対して簡単に装着することができる。
【先行技術文献】
【特許文献】
【０００４】
【特許文献１】特開２００７−４４３５９号公報
【発明の概要】
【発明が解決しようとする課題】
【０００５】
ところで、透明板の一側面に設けた支軸を前面枠の支持片にヒンジ結合するという取付構造を採用した場合、前面枠を開放して透明板を取り付ける際に、透明板の一側面を前面枠にヒンジ結合した後、透明板がヒンジ部を支点に不用意に回動して遊技盤等にぶつかってしまう虞がある。そこで前述した従来のパチンコ機では、前面枠の裏面に設けた保持部にストッパを上下動可能に保持し、透明板の支軸を支持片の軸孔に挿入後にストッパを下方へ移動することにより、透明板の回動範囲をストッパで規制するようにしているが、これら保持部とストッパによってコストが嵩むだけでなく、保持部とストッパの存在によって開口の幅寸法を大型化できないという問題があった。
【０００６】
なお、上記したヒンジ方式による取付構造の代替案として、透明板の下端部を前面枠の裏面に設けた引っ掛け部に係合し、この引っ掛け部を支点に透明板を上側に回動して開口を塞いだ後、前面枠の裏面上部に配設したロック部材を回動操作して透明板の上端部を前面枠に固定することが考えられる。このような取付構造によれば、開口の左右両側にヒンジ部やロック部材を配設するスペースが不要となるため、遊技領域や透明板の大型化に伴って開口の幅寸法を大きくすることが可能となるが、取付途中の透明板をロック部材で固定するまで手前に倒れないように支える必要があるため、作業者の肉体的負担が大きくなるという新たな問題が発生する。
【０００７】
本発明は、このような従来技術の実情に鑑みてなされたもので、その目的は、透明板を前面枠に対して簡単かつ安全に取り付け可能な弾球遊技機を提供することにある。
【課題を解決するための手段】
【０００８】
上記の目的を達成するために、本発明は、遊技球が流下する遊技領域を有する遊技盤と、この遊技盤が取り付けられた本体枠と、この本体枠の前面に一側部を軸着して開閉自在に取り付けられた前面枠と、この前面枠に設けられた開口を覆うように該前面枠の裏面に着脱可能に取り付けられた透明板とを備え、この透明板を透して前記遊技盤が目視可能となっている弾球遊技機において、前記透明板に、その両側部から外方へ張り出して貫通孔を有する一対の仮止め片と、これら仮止め片よりも上方位置で両側部から外方へ突出する一対の固定片とが設けられていると共に、前面枠の裏面に、前記透明板の下縁部を係止可能な引っ掛け部と、この引っ掛け部よりも上方に位置して傾斜面と保持溝を有する一対の仮止め突部と、この仮止め突部の近傍に位置して前記貫通孔に嵌合可能な位置決め突起と、前記仮止め突部よりも上方に位置して前記固定片を保持可能な一対のロック部材とが設けられており、前記透明板を前記引っ掛け部を支点に前記前面枠の裏面側へ回動することにより、前記仮止め片を前記傾斜面に沿って斜め上方へスライドさせて前記保持溝内に落とし込むと共に、前記位置決め突起に前記貫通孔を嵌合させて前記透明板を前記前面枠に対して左右方向へ位置決めした後、前記ロック部材を手動操作して前記固定片と係止させることにより、前記透明板を前記前面枠に固定するするようにした。
【０００９】
このように構成された弾球遊技機では、前面枠を開放して透明板を取り付ける際に、透明板の下縁部を前面枠の引っ掛け部に係合して前方へ押し込むと、透明板は下側の引っ掛け部を支点に起立姿勢となるように回動していき、その回動途中で透明板の仮止め片が前面枠に設けた仮止め突部の傾斜面に当接するが、さらなる押し込みにより仮止め片は仮止め突部の傾斜面に沿って斜め上方へスライドして保持溝内に自動的に落ち込み、この時点で透明板は前面枠の裏面に対して仮止め状態となって手前側に倒れなくなる。また、この仮止め状態で仮止め突部の近傍の位置決め突起に仮止め片の貫通孔が嵌合することにより、透明板が前面枠に対して左右方向へ位置決めされる。したがって、この仮止め状態で一対のロック部材を手動操作して対応する固定片に係止することによって透明板を前面枠に本固定することができ、本固定前の透明板を作業者の手でわざわざ支えなくても、透明板を前面枠に対して簡単かつ安全に取り付けることができる。
【００１０】
上記の構成において、仮止め片の少なくとも上縁側に指掛け部が一体形成されており、この指掛け部を透明板の後方へ向けて突出させてあると、透明板を前面枠から取り外す際に、作業者の手指を指掛け部に引っ掛けて持ち上げることにより、仮止め片を仮止め突部の保持溝から外して透明板の仮止め状態を解除できるため、透明板を前面枠から簡単かつ安全に取り外すことができる。
【発明の効果】
【００１２】
本発明の弾球遊技機は、透明板にその側部から外方へ張り出した仮止め片が設けられていると共に、前面枠の裏面に引っ掛け部と仮止め突部およびロック部材が設けられており、前面枠を開放して透明板を取り付ける際に、透明板の下縁部を引っ掛け部に係合して前方へ押し込んで回動させると、仮止め片が仮止め突部の傾斜面にガイドされながら保持溝内に落ち込んで仮止め状態となると共に、位置決め突起に貫通孔が嵌合して左右方向へ位置決めされるため、この仮止め状態でロック部材を手動操作することによって透明板を前面枠に本固定することができ、本固定前の透明板を作業者の手でわざわざ支えなくても、透明板を前面枠に対して簡単かつ安全に取り付けることができる。
【図面の簡単な説明】
【００１３】
【図１】本発明の実施形態例に係るパチンコ機の外観斜視図である。
【図２】図１に示すパチンコ機の前面枠を開いた状態の外観斜視図である。
【図３】該パチンコ機に備えられる本体枠の正面図である。
【図４】該パチンコ機に備えられる前面枠の斜視図である。
【図５】図４に示す前面枠を裏面側から見た斜視図である。
【図６】図５のＡ部詳細図である。
【図７】図５のＢ部詳細図である。
【図８】該前面枠に装着される透明板の斜視図である。
【図９】図８のＣ部詳細図である。
【図１０】該透明板の前面枠に対する取付作業の初期段階を示す斜視図である。
【図１１】図１０に対応する断面図である。
【図１２】図１１のＤ部詳細図である。
【図１３】該透明板の仮止め状態を示す正面図である。
【図１４】図１３に対応する断面図である。
【図１５】図１４のＥ部詳細図である。
【図１６】図１３のＦ部詳細図ある。
【図１７】該透明板の取付完了状態を示す正面図である。
【発明を実施するための形態】
【００１４】
図１に示すように、本実施形態例に係る弾球遊技機（パチンコ機）は、遊技場の島設備に設置される縦長方形状の機枠１と、機枠１に扉状に開閉自在に取り付けられた本体枠２と、本体枠２の前面にヒンジ３を介して扉状に開閉自在に取り付けられた前面枠４等を備えており、前面枠４には透明板５が取り付けられている。
【００１５】
図２と図３に示すように、本体枠２の上部内側には遊技盤６が収納されており（図２は２点鎖線で示す）、この遊技盤６の盤面（前面）は透明板５を透して目視可能となっている。遊技盤６はガイドレール７等によって区画形成された遊技領域８を有しており、図示省略されているが、遊技領域８には可変表示装置や始動入賞口、一般入賞口、アタッカー装置、遊技釘、風車、アウト口等が設けられている。遊技盤６よりも下方の本体枠２は設置部２ａとなっており、この設置部２ａは前面枠４によって覆い隠されるようになっている。設置部２ａ内の下部中央には遊技球を遊技領域８に向けて発射する発射装置９が配設されており、設置部２ａから外れた本体枠２の左下隅部には大型のスピーカ１０が配設されている。
【００１６】
本体枠２の右側枠部にはシリンダ錠１１ａを有する施錠装置１１が設置されており、図示せぬが、この施錠装置１１は本体枠２の裏面に配置された後部施錠杆と本体枠２の前面に配置された前部施錠杆とを備えている。常態では、施錠装置１５の後部施錠杆により機枠１に対して本体枠２が施錠されると共に、前部施錠杆により本体枠２に対して前面枠４が施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動して前面枠４が開錠されるようになっている。
【００１７】
図１と図４に示すように、前面枠４には遊技盤６の盤面に対向する大きな開口４ａが開設されており、この開口４ａは透明板５によって塞がれている。詳細な取付手順については後述するが、この透明板５は前面枠４の裏面に対して着脱可能となっている。前面枠４の前面上部には比較的小型のスピーカ１２が左右に１個ずつ配設されており、これらスピーカ１２と前述した大型のスピーカ１０とによって遊技に関する様々な効果音を発するようになっている。また、前面枠４の前面下部には、遊技盤６の裏面に配設された球払出装置（不図示）から払い出された遊技球を収容する上段受皿１３と、上段受皿１３から排出された遊技球を収容する下段受皿１４とが設けられており、上段受皿１３の右側方には発射装置９の発射強度を調整するための操作ハンドル１５が配設されている。さらに、前面枠４の左下隅部には円弧状の切欠き４ｂが形成されており、本体枠２の左下隅部に配設されたスピーカ１０はこの切欠き４ｂによって生じるスペース内に露呈している。一方、前面枠４の右側部（開放端）には半トラック形状の切欠き４ｃが形成されており、この切欠き４ｃ内に施錠装置１１のシリンダ錠１１ａが臨出している。
【００１８】
図２と図５に示すように、前面枠４の裏面側おける開口４ａの周囲には引っ掛け部１６と仮止め突部１７および位置決め突起１８が左右に１つずつ形成されており、開口４ａの上部にはロック部材１９が左右方向に所定間隔を存して１個ずつ配設されている。一対の引っ掛け部１６は開口４ａの下端部の右隅と左隅に形成されており、図６に示すように、右隅側の引っ掛け部１６は凹部１６ａの底面から上方へ突出する起立部１６ｂを有し、左隅側の引っ掛け部１６も同様に構成されている。一対の仮止め突部１７は開口４ａの真中より上方の左右両側部に形成されており、一対の位置決め突起１８はそれぞれ仮止め突部１７の若干上方に形成されている。図７に示すように、左側部の仮止め突部１７は、紙面の手前から奥側に向かって上り勾配で連続する傾斜面１７ａと、この傾斜面１７ａの奥側に段落ち状に連続する保持溝１７ｂを有しており、右側部の仮止め突部１７も同様に構成されている。一対のロック部材１９は前面枠４の裏面に植設された支軸２０に回動可能に支持されており、これらロック部材１９の内壁面には半球状のストッパ突起（図示せず）が形成されている。
【００１９】
図８に示すように、透明板５は、一定間隔を存して積層された２枚のガラス２１と、両ガラス２１の外縁部に一体化された枠体２２とで構成されており、これらガラス２１と枠体２２は１つのユニット品として取り扱われるようになっている。枠体２２の下端部の左右両側には係合突部２２ａが形成されており、これら係合突部２２ａの下縁部はアール形状となっている。また、枠体２２の真中より上方の左右両側部には仮止め片２２ｂが形成されており、これら仮止め片２２ｂよりも上方位置には係止孔２２ｃを有する固定片２２ｄが左右方向に所定間隔を存して１つずつ形成されている。図９に示すように、左側部の仮止め片２２ｂは枠体２２から外方へ向かって張り出しており、その中央部には上下方向に延びる貫通孔２２ｅが穿設されている。後述するように、透明板５を前面枠４に取り付けたとき、この貫通孔２２ｅは前面枠４の対応する位置決め突起１８に入り込むようになっている。また、この仮止め片２２ｂの上縁側には庇状に突出する指掛け部２２ｆが形成されており、仮止め片２２ｂの下端面にはテーパが付けられている。右側部の仮止め片２２ｂも同様に構成されている。ただし、前面枠４の位置決め突起１８に対する貫通孔２２ｅの幅寸法が左右で若干異なり、本実施形態例の場合、左側の貫通孔２２ｅは対応する位置決め突起１８よりも幅広に設定されているが、右側の貫通孔２２ｅは対応する位置決め突起１８と同幅に設定されている。
【００２０】
次に、このように構成された透明板５を前面枠４に取り付ける手順を図１０〜図１７を参照して説明する。
【００２１】
まず、施錠装置１５を開錠して前面枠４を本体枠２に対し大きく開き（図２参照）、図１０〜図１２に示すように、開口４ａの下端部に形成された一対の引っ掛け部１６に透明板５の対応する係合突部２２ａを係合する。この状態で前面枠４の裏面側から透明板５を前方へ押し込んで開口４ａに近付けていくと、透明板５が係合突部２２ａの下縁部（引っ掛け部１６との当接箇所）を支点として図１１の矢印Ｐ方向へ回動し、その回動途中で透明板５に形成した仮止め片２２ｂの下端が前面枠４に形成した仮止め突部１７の傾斜面１７ａに当接する。さらに透明板５を前方へ押し込むと、図１３〜図１５に示すように、仮止め片２２ｂが仮止め突部１７の傾斜面１７ａに沿って斜め上方へスライドしてから保持溝１７ｂに自動的に落ち込み、この時点で透明板５は前面枠４の裏面に対して仮止め状態となって手前側に倒れなくなる。なお、かかる仮止め片２２ｂのスライド移動に伴って係合突部２２ａが引っ掛け部１６の凹部１６ａの底面から浮き上がるが、起立部１６ｂによって係合突部２２ａは引っ掛け部１６から脱落しないようになっている。
【００２２】
また、この仮止め状態で右側の位置決め突起１８に透明板５の右側の貫通孔２２ｅが嵌り込むため、これら位置決め突起１８と貫通孔２２ｅによって透明板５が前面枠４に対して左右方向へ位置決めされる。その際、左側の位置決め突起１８にも透明板５の左側の貫通孔２２ｅが入り込むが、前述したように、この位置決め突起１８に対して貫通孔２２ｅは幅広に設定されているため、前面枠４の裏面側から見て左側の位置決め突起１８と貫通孔２２ｅは位置決め機能に関与していない。しかる後、図１７に示すように、左側のロック部材１９を反時計方向へ約９０度だけ回動操作すると共に、右側のロック部材１９を時計方向へ約９０度だけ回動操作することにより、両ロック部材１９の図示せぬストッパ突起を透明板５の対応する固定片２２ｄの係止孔２２ｃに嵌合する。その結果、透明板５の上下方向の動きがロック部材１９によって阻止され、透明板５は前面枠４に対して本固定された状態となる。
【００２３】
このように、前面枠４を開放して透明板５を取り付ける際に、透明板５の係合突部２２ａを前面枠４の引っ掛け部１６に係合して前方へ押し込んで回動すると、仮止め片２２ｂが仮止め突部１７の傾斜面１７ａから保持溝１７ｂ内に落ち込んで仮止め状態となり、この仮止め状態でロック部材１９によって透明板５を前面枠４に本固定することができるため、本固定前の透明板５を作業者の手でわざわざ支えなくても、透明板５を前面枠４に対して簡単かつ安全に取り付けることができる。
【００２４】
また、透明板５を前面枠４から取り外す場合は、ロック部材１９を固定片２２ｄから外れる方向に回動操作して透明板５を仮止め状態に戻した後、作業者の手指を左右の指掛け部２２ｆに引っ掛けて透明板５を持ち上げながら手前側に回動させると、両仮止め片２２ｂが対応する仮止め突部１７の保持溝１７ｂから外れて仮止め状態を解除できるため、透明板５を前面枠４から簡単かつ安全に取り外すことができる。
【００２５】
なお、上記実施形態例では、前面枠４の裏面側から見て右側に形成された位置決め突起１８と貫通孔２２ｅを用いて、透明板５を前面枠４に対し左右方向へ位置決めするようにしているが、このような位置決め機能を左側に形成された位置決め突起１８と貫通孔２２ｅに持たせることも可能である。
【００２６】
また、上記実施形態例では、透明板５が装着される前面枠４の下部に操作ハンドル１５等を一体的に設け、このような一体構造の前面枠４によって遊技盤６や設置部２ａを含めた本体枠２の前面を覆うようにした弾球遊技機について説明したが、遊技盤６側を覆う上部前面枠（ガラス扉）と設置部２ａ側を覆う下部前面枠（前面ボード）という上下に２分割された分割タイプの前面枠を用い、この上部前面枠に対して透明板５を着脱可能に取り付けるようにした弾球遊技機についても本発明は適用可能である。
【符号の説明】
【００２７】
１  機枠
２  本体枠
３  ヒンジ
４  前面枠
４ａ  開口
５  透明板
６  遊技盤
８  遊技領域
１１  施錠装置
１６  引っ掛け部
１６ａ  凹部
１６ｂ  起立部
１７  仮止め突部
１７ａ  傾斜面
１７ｂ  保持溝
１８  位置決め突起
１９  ロック部材
２０  支軸
２１  ガラス
２２  枠体
２２ａ  係合突部
２２ｂ  仮止め片
２２ｃ  係止孔
２２ｄ  固定片
２２ｅ  貫通孔
２２ｆ  指掛け部
【図１】
0005546279.tif 000002
【図２】
0005546279.tif 000003
【図３】
0005546279.tif 000004
【図４】
0005546279.tif 000005
【図５】
0005546279.tif 000006
【図６】
0005546279.tif 000007
【図７】
0005546279.tif 000008
【図８】
0005546279.tif 000009
【図９】
0005546279.tif 000010
【図１０】
0005546279.tif 000011
【図１１】
0005546279.tif 000012
【図１２】
0005546279.tif 000013
【図１３】
0005546279.tif 000014
【図１４】
0005546279.tif 000015
【図１５】
0005546279.tif 000016
【図１６】
0005546279.tif 000017
【図１７】
0005546279.tif 000018